(57)【要約】  蓄電池用ラックは、底部枠（１２）と、天井枠（１４）と、長尺状の支柱（１６），（１８），（２０），（２２）と、支柱（１６），（１８），（２０），（２２）に互いに対向して架設されるサイドパネル（３０）とを備える。各支柱にはその長手方向に沿って複数の取付穴（２６），（２８）が所定ピッチで形成され、サイドパネル（３０）には所定ピッチに対応するピッチで複数の雌ねじ孔が形成される。取付穴（２６），（２８）および雌ねじ孔にねじが締結された状態でサイドパネル（３０）が支柱組に取り付けられる。サイドパネル（３０）は、複数の平行な支持部（３２）を有し、各支持部（３２）の間隔は、収納される複数の蓄電池の間に形成される冷媒通路の所定の高さ寸法と蓄電池の高さ寸法との合計値にほぼ等しく設定されている。
2017037999.tif 000002
【特許請求の範囲】
【請求項１】
上下方向に対向配置された底部および天井部と、
前記底部と前記天井部との間に延伸して前記底部および前記天井部を互いに連結する少なくとも２本の長尺状の支柱と、
前記少なくとも２本の支柱に互いに対向して取り付けられる少なくとも２枚のサイドパネルと、を備える蓄電池用ラックであって、
前記支柱にはその長手方向に沿って複数の取付穴が所定ピッチで形成され、前記サイドパネルには前記所定ピッチに対応するピッチで複数の貫通孔が形成され、前記取付穴および前記貫通孔に締結部材が挿通された状態で前記サイドパネルが前記支柱組に取り付けられており、
前記サイドパネルは、前記上下方向と直交する幅方向に突出するとともに互いに平行な複数の支持部を有し、前記各支持部の間隔は、前記支持部上に載置された状態で収納される複数の蓄電池の間に形成される冷媒通路の所定の高さ寸法と前記蓄電池の高さ寸法との合計値にほぼ等しく設定されている、
蓄電池用ラック。
【請求項２】
請求項１に記載の蓄電池用ラックであって、
前記サイドパネルは、前記支持部から折れ曲がって上下方向に延びる閉塞部を有し、該閉塞部は前記ラック構造の幅方向の両側面において開口する前記冷媒通路の少なくとも一部を塞ぐように形成されている、蓄電池用ラック。
【請求項３】
請求項２に記載の蓄電池用ラックであって、
前記サイドパネルは、１つの前記閉塞部とこの閉塞部に対して上下方向に隣り合う前記支持部との間に前記蓄電池の側面の少なくとも一部を露出させる開口部が形成されている、蓄電池用ラック。
【請求項４】
請求項１ないし３のいずれか一項に記載の蓄電池用ラックであって、
前記サイドパネルは上下方向に延び且つ幅方向に沿った前側壁を有し、前記前側壁には蓄電池固定用の被締結部が蓄電池の収納ピッチと同等のピッチで形成されている、蓄電池用ラック。
【請求項５】
請求項１ないし３のいずれか一項に記載の蓄電池用ラックに複数の蓄電池が設置されて構成される蓄電装置。
【請求項６】
請求項５に記載の蓄電装置であって、
前記蓄電池は、筐体内に多数の二次電池が収納され、前記サイドパネルの前記支持部によって支持されて蓄電池用ラックに設置される蓄電装置。
【請求項７】
請求項６に記載の蓄電装置であって、
前記蓄電池は、前記サイドパネルの開口部を少なくとも一部塞ぐように設置される蓄電装置。
【請求項８】
請求項６に記載の蓄電装置であって、
前記蓄電池の筐体は、前端に前記サイドパネルの前側壁に固定するための固定タブを有し、
前記サイドパネルの前側壁は、前記固定タブを介して締結部材が締結される被締結部を有し、
前記被締結部は、蓄電池の収納ピッチと同等のピッチに設定されて設けられる蓄電装置。
【発明の詳細な説明】
【技術分野】
【０００１】
本発明は、蓄電池用ラックおよび蓄電装置に関する。
【背景技術】
【０００２】
従来、例えば特許文献１には、蓄電池用ラックが開示されている。この蓄電池用ラックは、フレームおよび複数の棚を備え、各棚にそれぞれ載置された電池を拘束体で押さえることにより、耐地震対策を施したものが記載されている。
【先行技術文献】
【特許文献】
【０００３】
【特許文献１】特表２００４−５１０３１３号公報
【発明の概要】
【発明が解決しようとする課題】
【０００４】
上記特許文献１に記載されるような複数の蓄電池を収納するラックとして、例えば、情報機器、通信機器、放送機器等を収納するためのものとして従来からある標準的なラックを使用することがコスト面からして有利である。【０００５】
ただし、このような標準的なラックは、その規格に応じた高さ寸法を有する機器を上下方向に沿って多段に収納するのに適しているが、規格外の高さ寸法の蓄電池を容積効率良く収納するには各蓄電池を載置状態で支持する支持部材を工夫する必要がある。また、ラックに収納される複数の蓄電池を冷却するための媒体が通る冷媒通路を確保する必要もある。【０００６】
本発明の目的は、従来からある標準的なラックを用いて、冷媒通路を確保しながら複数の蓄電池を容積効率良く高エネルギー密度で収納できる蓄電池用ラックおよび蓄電装置を提供することである。
【課題を解決するための手段】
【０００７】
本発明に係る蓄電池用ラックは、上下方向に対向配置された底部および天井部と、底部と天井部との間に延伸して底部および天井部を互いに連結する少なくとも２本の長尺状の支柱と、少なくとも２本の支柱に互いに対向して取り付けられる少なくとも２枚のサイドパネルと、を備える蓄電池用ラックであって、支柱にはその長手方向に沿って複数の取付穴が所定ピッチで形成され、サイドパネルには上記所定ピッチに対応するピッチで複数の貫通孔が形成され、取付穴および貫通孔に締結部材が挿通された状態でサイドパネルが支柱組に取り付けらており、サイドパネルは、上下方向と直交する幅方向に突出するとともに互いに平行な複数の支持部を有し、各支持部の間隔は、支持部上に載置された状態で収納される複数の蓄電池の間に形成される冷媒通路の所定の高さ寸法と前記蓄電池の高さ寸法との合計値にほぼ等しく設定されている。
【発明の効果】
【０００８】
本発明に係る蓄電池ラック及びこれを用いた蓄電装置によれば、従来からある標準的なラックを用いて、冷媒通路を確保しながら複数の蓄電池を容積効率良く高エネルギー密度で収納できる。
【図面の簡単な説明】
【０００９】
【図１】図１は本発明の一実施形態である蓄電池用ラックを含む蓄電装置を斜め前方から見た状態で示す斜視図である。
【図２】図２は図１に示した蓄電装置を斜め後方から見た状態で示す斜視図である。
【図３】図３は蓄電池が収納されていない状態のラックを示す図１と同様の斜視図である。
【図４】図４はフレーム構造体にサイドパネル、バックパネル、および、ファンパネルが取り付けられたラックの斜視図である。
【図５】図５はサイドパネルの正面図である。
【図６】図６は図５に示したサイドパネルを前方から見た側面図である。
【図７】図７は図５中のＡ−Ａ線断面図である。
【図８】図８は図５中のＢ−Ｂ線断面図である。
【図９】図９は蓄電装置を前方から見た一部正面図である。
【図１０】図１０は冷媒通路における空気の流れを概略的に示す図である。
【発明を実施するための形態】
【００１０】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
以下においては、図１等において水平面上の一方向を示す矢印Ｘ方向を「幅方向」といい、矢印Ｘ方向と直交する水平面上の矢印Ｙ方向を「長さ方向」といい、矢印ＸおよびＹと直交する矢印Ｚ方向を「上下方向」または「高さ方向」という。また、長さ方向に関し、一方側を「前」、他方側を「後」という。
【００１２】
図１は、本発明の一実施形態である蓄電池用ラック（以下、適宜に「ラック」とだけいう）１０を含む蓄電装置１を斜め前方から見た状態で示す斜視図である。図１に示す蓄電装置１は、ラック１０に複数の蓄電池２が上下方向に多段に収納されて構成されている。また、図２は、蓄電装置１を斜め後方から見た状態で示す斜視図である。さらに、図３は、蓄電池が収納されていない状態のラック１０を示す図１と同様の斜視図である。
【００１３】
本実施形態のラック１０に収納される蓄電池２は、筐体内に例えば多数の円筒型二次電池が直列接続、並列接続、または、直列および並列を組み合わせた接続状態で収納されている。本実施形態のラック１０は、このような蓄電池２を例えば２０個、所定の間隔で上下方向に並べて収納することが想定されている。ただし、１つのラック１０に収納する蓄電池２の数は、これに限定されるものではなく、各蓄電池２の外形寸法、定格容量、各蓄電池に対する冷却性能を確保するために必要な冷媒通路の寸法等に応じて、適宜に変更され得るものである。
【００１４】
図１ないし図３に示すように、ラック１０は、底部枠（底部）１２と、天井枠（天井部）１４と、４本の支柱１６，１８，２０，２２とを備える。ラック１０には、例えば１９インチラック等の従来からある標準的なラックを用いることができる。ラック１０は、重量がある蓄電池２を多数収納した場合でも耐えうる強度を有することが好ましく、例えばスチール製のものが好適に用いられる。
【００１５】
底部枠１２および天井枠１４はいずれも長方形状フレームとして形成されている。底部枠１２は、４本の底部フレームをボルト等の締結部材で連結することによって構成されてもよいし、あるいは、予め一体形成されていてもよい。また、底部枠１２の中央部には、補強フレーム１３が幅方向に沿って配置されている。補強フレーム１３の両端は、ボルト等の締結部材によって底部枠１２に連結されている。
【００１６】
本実施形態において天井枠１４は、底部枠１２と同様に、４本の底部フレームをねじ又はボルト等の締結部材で連結することによって構成されてもよいし、あるいは、予め一体形成されていてもよい。なお、本実施形態では、天井枠１４が天井板を含まない形態である例を示すが、これに限定されるものではなく、埃等の堆積を低減するために天井枠１４の上面を閉じる天井板が別部材で又は一体に設けられてもよい。また、天井枠１４についても、底部枠１２と同様に、中央に補強フレームを架設して、フレーム構造体１１の強度を高めてもよい。
【００１７】
４本の支柱１６，１８，２０，２２は、底部枠１２および天井枠１４の四隅のコーナー部に対応して立設されている。各支柱１６，１８，２０，２２は、上下方向に沿って延伸する長尺状の部材であり、例えばいわゆるＬ字やコの字アングルが用いられる。また、各支柱１６，１８，２０，２２の下端および状態は、例えばねじ又はボルト等の締結部材によって底部枠１２および天井枠１４にそれぞれ締結されている。これにより、底部枠１２、天井枠１４および４本の支柱１６，１８，２０，２２は、直方体の１２辺に対応するフレーム部分を含むフレーム構造体１１を構成している。
【００１８】
４本の支柱のうち前方に位置する２本の支柱１６，２０は、多数の取付穴が所定ピッチで上下方向に沿って形成されている取付部１７，２１を有する。また、ラック１０において後方に位置する２本の支柱１８，２２は、多数の取付穴が所定ピッチで形成されている取付部を有している。以下において、ラック１０の２本の支柱１６，２０を前方支柱といい、他の２本の支柱１８，２２を後方支柱ということがある。
【００１９】
図３に示すように、前方支柱１６，２０の取付部１７，２１は、上下方向に延在し且つ長さ方向に張り出した細幅の取付板２４をそれぞれ有する。取付板２４には、多数の取付穴２６が所定ピッチで形成されている。また、ラック１０の後方支柱１８，２２において互いに対向する側面にも、上記と同様の所定ピッチで多数の取付穴２８がそれぞれ形成されている。図３では後方支柱２２の側面に形成されている取付穴２８のみが示されている。
【００２０】
ラック１０がＥＩＡ規格（米国規格協会）に適合した１９インチラックである場合、幅寸法が約４８２．６ｍｍ（１９インチ）までの機器を収納可能である。すなわち、ラック１０に収納される蓄電池２の幅寸法は約４８０ｍｍ程度であることが好適である。また、ＥＩＡ規格の場合、収納される機器の高さ寸法は１Ｕ（＝１．７５インチ（４４．４５ｍｍ））という単位で規定され、ＥＩＡ規格に応じた機器の高さ寸法は１Ｕの倍数になっている。このようなＥＩＡ規格のラックにおいて、取付穴のピッチは、ワイドピッチとユニバーサルピッチの２種類がある。ワイドピッチは取付穴のピッチが３１．７５ｍｍ（１．２５インチ）と１２．７ｍｍ（０．５インチ）の繰り返しである。ユニバーサルピッチでは、ワイドピッチにおける３１．７５ｍｍピッチの２つの取付穴の中間位置に取付穴が追加されている。すなわち、この場合は取付穴のピッチは１５．９ｍｍ、１５．９ｍｍ、１２．７ｍｍの繰り返しになる。本実施形態では、上記取付穴２６，２８がユニバーサルピッチで形成されている場合を例示する。
【００２１】
なお、ラックがＪＩＳ規格（日本工業規格）に適合した１９インチラックである場合、幅寸法が約４８０ｍｍまでの機器を収納可能であり、収納される機器の高さ寸法は１Ｊ（＝５０ｍｍ）の倍数になっている。また、このようなＪＩＳ規格のラックでは、取付穴が５０ｍｍピッチで形成されている。また、５０ｍｍピッチの２つの取付穴の中間位置の取付穴が追加される場合があり、この場合には取付穴が２５ｍｍピッチで形成されることになる。
【００２２】
図４は、フレーム構造体１１にサイドパネル、バックパネル、および、ファンパネルが取り付けられたラック１０の斜視図である。
【００２３】
図１、図２および図４に示すように、ラック１０は、サイドパネル３０を備える。サイドパネル３０は、前方支柱１６および後方支柱１８の一方の支柱組に架設されるとともに、前方支柱２０および後方支柱２２の他方の支柱組に架設されている。これにより、サイドパネル３０は、ラック１０において幅方向に対向する側壁面を構成している。本実施形態では、ラック１０の幅方向両側に各４枚のサイドパネル３０が取り付けられている例が示される。
【００２４】
また、ラック１０は、バックパネル６０およびファンパネル７０を備えてもよい。バックパネル６０は、後述するように、後方支柱１８，２２間においてサイドパネル３０の後壁面に取り付けられてもよいし、あるいは、後方支柱１８，２２に取り付けられてもよい。バックパネル６０には、ラック１０に収納される蓄電池２（図１参照）の電力入出力端子に電気的に接続されるコネクタ（図示せず）が取り付けられる。
【００２５】
ファンパネル７０は、ラック１０の後面において、バックパネル６０と後方支柱２２とにねじ等で取り付けられている。図２に示すように、ファンパネル７０には、例えば円形の取付穴７２が形成されている。この取付穴７２にファン７４（図１０参照）が取り付けられる。ファン７４は、後述するようにサイドパネル３０によってラック１０に蓄電池２が載置収納されたとき、各蓄電池２間に形成される冷媒通路に空気等の冷却媒体を流す機能を有する。冷却媒体である空気が各蓄電池２間の冷媒通路を流れる様子については後述する。
【００２６】
続いて、図５ないし図９を参照して、サイドパネル３０について詳細に説明する。図５はサイドパネル３０の正面図であり、図６はサイドパネル３０を前方から見た側面図である。また、図７は図５中のＡ−Ａ線断面図であり、図８は図５中のＢ−Ｂ線断面図である。さらに、図９は、蓄電装置１を前方から見た一部正面図である。
【００２７】
ラック１０において、前方から見て右側に取り付けられるサイドパネル３０と、左側に取り付けられるサイドパネル３０とは、鏡面対称の形状を有する。したがって、以下においては、ラック１０の右側に取り付けられるサイドパネル３０を例に説明する。
【００２８】
図５ないし図８に示すように、サイドパネル３０は、例えば、１枚の金属板を折り曲げ形成することによって形成できる。サイドパネル３０は、複数の支持部３２を有する。各支持部３２は、上下方向と直交する幅方向に突出するとともに、互いに平行に形成されている。本実施形態では、１枚のサイドパネル３０に５つの支持部３２が形成されている例が示される。すなわち、本実施形態では、ラック１０において幅方向両側に対向して取り付けられる一対のサイドパネル３０によって、５つの蓄電池２を載置できるように構成されている。
【００２９】
５つの支持部３２のうち４つの支持部３２は、金属板をコ字状に切り込みを形成した部分を幅方向内側に９０度だけ折り曲げることによって形成されている。また、サイドパネル３０において最下部に位置する支持部３２は、金属体の下端部を幅方向内側に所定幅で折り曲げることによって形成されている。
【００３０】
図６および図９に示すように、各支持部３２の上下方向の間隔Ｋは、支持部３２上に載置された状態で収納される複数の蓄電池２間に形成される冷媒通路４の所定の高さ寸法ｈと、蓄電池２の高さ寸法Ｈとの合計値にほぼ等しく設定されている。ここで、蓄電池２の高さ寸法は、例えば約９０ｍｍ程度である。また、冷媒通路４の所定の高さ寸法は、例えば８〜１０ｍｍ程度とするのが好適である。冷媒通路４の高さ寸法ｈをこのような高さ寸法より大きく設定してもよいが、その分、多数の蓄電池２をラック１０に収納した場合に収容可能な蓄電池２の数が減ることになる。他方、冷媒通路４の高さ寸法ｈが上記の寸法範囲より狭くなると、冷媒通路４を流れる冷媒としての空気が流量低下によって蓄電池２の冷却性能が低下する。したがって、冷媒通路４の高さ寸法ｈは、ラック１０の収納効率を高くしつつ各蓄電池に対する冷却性能を確保できる必要最小限の寸法に設定するのが良い。
【００３１】
図７に示すように支持部３２の突出幅Ｗは、蓄電池２の長さ方向に延びる下側一方角部を載置したときに蓄電池２を十分に支持できる程度の幅に設定されている。また、このような突出幅Ｗの支持部３２が形成されることで、サイドパネル３０には、最下部の支持部３２を除く４つの支持部３２に対応して開口部３４が形成されている。本実施形態では、各サイドパネル３０に４つの開口部３４が形成されている。各開口部３４は、図５に示すように、長さ方向に沿って細長く延びる長方形状をなしている。このような開口部３４が形成されることで、蓄電池２を収納したときに、開口部３４を介して蓄電池２の側面がラック１０の外部に露出した状態になる。これにより、蓄電池２の側面からの放熱性が向上するという利点がある。この場合、蓄電池２の側面全体が露出していなくてもよく、少なくとも一部が露出していればよい。
【００３２】
また、サイドパネル３０は、図５および図７に示すように、閉塞部３５を有する。閉塞部３５は、支持部３２に連続して略Ｌ字状の断面をなし、上下方向に沿って垂下している。この閉塞部３５は、ラック１０に収納された各蓄電池２間に形成される冷媒通路４の幅方向両側の開口部を塞ぐ機能を有する。これにより、ラック１０に収納された蓄電池２間の冷媒通路を前方および後方に開口する通路として形成することができ、冷媒である空気の流れ方向を規定することができる。なお、本実施形態では冷媒通路４の幅方向両側の開口部の全体を閉塞部３５で塞ぐ例を示すが、これに限定されるものではなく、閉塞部が冷媒通路４の幅方向両側の開口部の一部を閉じて他の部分を空気通し部として開口させてもよい。
【００３３】
図５および図８に示すように、サイドパネル３０の幅方向前側に取付部３６ａが形成され、幅方向後側に取付部３６ｂが形成されている。各取付部３６ａ，３６ｂは、金属板を略コ字状に折り曲げて形成され、上下方向に沿って延びている。そして、各取付部３６ａ，３６ｂには、例えば５つの雌ねじ孔（貫通孔）３８が上方方向に所定ピッチＰ１で形成されている。この所定ピッチＰ１は、前方支柱１６，２０の取付部１７，２１に形成された取付穴２６のピッチに対応したものに設定されている。すなわち、ラック１０がＥＩＡ規格に適合した１９インチラックである場合、サイドパネル３０の雌ねじ孔３８のピッチＰ１は、例えば１Ｕ（＝４４．４５ｍｍ）ピッチとするのが好ましい。これにより、サイドパネル３０を前方支柱１６，２０の取付穴２６を介して挿通したねじによってサイドパネル３０を前方支柱１６，２０に取り付けることができる。なお、ラック１０がＪＩＳ規格に適合した１９インチラックである場合、サイドパネル３０の雌ねじ孔３８の所定ピッチＰ１は、例えば５０ｍｍに設定するのが好適である。なお、本実施形態では支柱にサイドパネル３０を取り付けるための貫通孔を雌ねじ孔として形成した例について説明するが、これに限定されるものではなく、単にボルトを挿通する貫通孔として形成しナットで締結固定してもよい。
【００３４】
図５および図６に示すように、サイドパネル３０の前端部は幅方向外側へ略垂直に折り曲げられている。この折り曲げ部は、サイドパネル３０の前側壁４０を構成している。この前側壁４０には、例えば５つの雌ねじ孔４２が上下方向に所定ピッチＰ２で形成されている。この所定ピッチＰ２は、ラック１０に多段（例えば２０段）に収納される蓄電池２の収納ピッチと同等に設定することができる。本実施形態に用いられる蓄電池２の高さ寸法Ｈを例えば９０ｍｍ、蓄電池２間に形成される冷媒通路４の高さ寸法ｈを例えば１０ｍｍとしたとき、上下方向に隣接する蓄電池２の配置ピッチは１００ｍｍになる。したがって、この場合には、サイドパネル３０の前側壁４０に形成される雌ねじ孔４２（被締結部）のピッチＰ２を１００ｍｍに設定すればよい。これにより、後述するように、蓄電池２の前端側壁に固定した固定タブを介して各蓄電池２をサイドパネル３０の前側壁４０に固定することができる。
【００３５】
また、図５および図８に示すように、サイドパネル３０の後端部は幅方向外側へ略垂直に折り曲げられている。この折り曲げ部は、サイドパネル３０の後側壁４４を構成している。この後側壁４４にも、前側壁４０と同様に、例えば５つの雌ねじ孔（図示せず）が上下方向に所定ピッチＰ２で形成されてもよい。この後側壁４４に形成された雌ねじ孔にねじを挿通して締め付けることによってバックパネル６０の幅方向両端部を固定することができる。
【００３６】
上記のように構成されるサイドパネル３０をラック１０の幅方向両側に各４枚ずつ取り付けるとともに、バックパネル６０およびファンパネル７０をサイドパネル３０の後側壁４４にねじ等で取り付ける。これにより、図４に示すようなラック１０が組み立てられる。この場合、各サイドパネル３０が蓄電池５個分に相当する支持部３２を有しているため、収納機器ごとに対応したラック（棚）を１つずつフレーム構造体１１にねじ又はボルト等の締結部材を用いて組み付ける場合に比べて、組立が格段に容易となる。
【００３７】
そして、上記のように組立てられたラック１０に各蓄電池２を前方から挿入して、各蓄電池２の下側角部が幅方向両側にあるサイドパネル３０の支持部３２上に載置された状態にする。図９に示すように、蓄電池２の筐体における前端部の幅方向両側には、固定タブ５０が例えば、溶接、ねじ留め等によって取り付けられている。この固定タブ５０に形成された貫通孔にねじ５２を挿通して、サイドパネル３０の前側壁４０に形成された雌ねじ孔４２に締め付ける。これにより、各蓄電池２は互いの間に所定高さ寸法ｈの冷媒通路４が形成された状態でラック１０に収納されて、蓄電装置１が組み立てられる。
【００３８】
図１０は、冷媒通路４における空気の流れを概略的に示す図である。図１０に示すように、ラック１０の後壁面を構成するファンパネル７０に設置したファン７４が駆動されると、ラック１０の前面において各蓄電池２間に形成される開口部から冷媒通路４に空気が吸引される。上述したように、冷媒通路４の幅方向両側は、サイドパネル３０の閉塞部３５によって塞がれている。そのため、ラック１０の前方から冷媒通路４に進入した空気は、冷媒通路４内を後方へと流れる。その間に、空気は上下に位置する蓄電池２を冷却する。その後、空気は、バックパネル６０に形成された貫通孔６２，６４を介してファン７４からラック１０の外部に排気される。
【００３９】
上述したように、本実施形態のラック１０によれば、従来からある標準的なラック（例えばＥＩＡ規格の１９インチラック）を用いて、規格外寸法を有する蓄電池２を、冷媒通路４を確保しながら容積効率良く高エネルギー密度で収納することができる。したがって、当該蓄電池２の寸法に応じた専用のラックを作製する場合に比べて、ラックに要するコストを大幅に削減できる。
【００４０】
また、本実施形態のラック１０では、板状をなすサイドパネル３０が前方支柱１６，２０と後方支柱１８，２２との間に架設されているので、ラック１０の構造的強度が向上し、重量がある蓄電池２を上下方向に多数収納することが可能になる。
【００４１】
さらに、図１および図２に示すように、蓄電装置１において所定数の蓄電池２をラック１０に収納した状態で、ラック１０の上部に余剰空間９０を設けることができる。このような余剰空間を利用して、各蓄電池２の電力の入出力制御や状態監視を行うための制御回路機器等を配置することが可能である。このように規格外の蓄電池を収納することによって生まれる余剰空間を有効利用することで、蓄電池関連機器を含む複数の蓄電池２をコンパクトに収納することができる。
【００４２】
なお、本発明は、上述した実施形態およびその変形例に限定されるものではなく、本願の特許請求の範囲に記載された事項およびその均等な範囲において、種々の改良や変更が可能である。
【００４３】
例えば、上記においては、２本の支柱１６，１８の間、および、２本の支柱２０，２２の間に、サイドパネル３０を架設して取り付ける例について説明したが、これに限定されるものではない。蓄電池用ラックの幅方向の各側面にそれぞれ配置されるサイドパネルがその長さ方向中央部で各１本の支柱（合計２本の支柱）に取り付けられてもよい。この場合、天井部は必ずしも枠状をなしていなくてもよく、例えば両端が左右２本の支柱に連結されたＬ型アングル、コの字型アングル、パイプ、棒材等で天井部が構成されてもよい。
【００４４】
また、複数の蓄電装置が幅方向に隣り合って設置される場合、隣接する支柱を２基の蓄電装置で共通としてもよい。この場合、２基の蓄電装置について見れば、蓄電池用ラックの支柱の総数は例えば、前方３本、後方３本の合計６本で構成してもよい。
【００４５】
さらに、上記においては蓄電池用ラック１０に収納される蓄電池２を等ピッチで収納して全ての冷媒通路４の高さ寸法ｈを同一に設定したが、これに限定されるものではない。例えば、ファン７４の近くに位置する冷媒通路の高さ寸法に対して、ファン７４から遠くに位置する冷媒通路の高さ寸法を大きく設定して冷却性能を向上させてもよい。
【符号の説明】
【００４６】
１  蓄電装置、２  蓄電池、４  冷媒通路、１０  蓄電池用ラック、１１  フレーム構造体、１２  底部枠、１３  補強フレーム、１４  天井枠、１６，１８，２０，２２  支柱、１７，２１，３６ａ，３６ｂ  取付部、２４  取付板、２６，２８，７２  取付穴、３０  サイドパネル、３２  支持部、３４  開口部、３５  閉塞部、３８，４２  雌ねじ孔（貫通孔）、４０  前側壁、４４  後側壁、５０  固定タブ、６０  バックパネル、６２，６４  貫通孔、７０  ファンパネル、７４  ファン、９０  余剰空間、Ｈ，ｈ  寸法、Ｋ  間隔、Ｐ１，Ｐ２  所定ピッチ、Ｗ  突出幅。
【図１】
2017037999.tif 000003
【図２】
2017037999.tif 000004
【図３】
2017037999.tif 000005
【図４】
2017037999.tif 000006
【図５】
2017037999.tif 000007
【図６】
2017037999.tif 000008
【図７】
2017037999.tif 000009
【図８】
2017037999.tif 000010
【図９】
2017037999.tif 000011
【図１０】
2017037999.tif 000012
【国際調査報告】
2017037999.tif 000013
2017037999.tif 000014